(57)【特許請求の範囲】
【請求項１】
戸袋の内外に延びるベースフレームと、該ベースフレームに付設する吊戸用のガイドレールと、戸袋内において前記ベースフレームに固定する保持金具、補助金具とを備えてなり、前記保持金具は、前記ガイドレールの先端のウェブ部分を支持する水平の支持片と、吊戸の戸尻側が閉じる間隙を前記ベースフレームとの間に形成する保持片とを一体に形成し、前記間隙には、前記ガイドレールの先端のフランジ部分を吊戸の戸先側から差し込んで収納し、前記ガイドレールは、前記補助金具によって戸袋内の中間部を前記ベースフレームに沿って移動可能に支持するとともに、前記保持金具によって戸袋内の先端を着脱可能に保持し、戸袋外において前記ベースフレームにねじ止めすることを特徴とする吊戸用ガイドレールの取付構造。
【請求項２】
前記補助金具は、前記ガイドレールの中間部のウェブ部分を支持する左右の支持部と、該支持部の上部基部側に形成し、前記ガイドレールの下向きのガイドリブに対応する斜めの段部とを備えることを特徴とする請求項１記載の吊戸用ガイドレールの取付構造。
【請求項３】
前記保持金具には、エンボス加工による位置決め用の係合突部を形成し、該係合突部は、前記ベースフレームの係合孔に係合することを特徴とする請求項１または請求項２記載の吊戸用ガイドレールの取付構造。
【請求項４】
前記保持金具には、溶接用の切欠きを形成することを特徴とする請求項３記載の吊戸用ガイドレールの取付構造。
【発明の詳細な説明】
【０００１】
【発明の属する技術分野】
この発明は、戸袋を分解することなく、吊戸用のガイドレールを簡単に交換することができる吊戸用ガイドレールの取付構造に関する。
【０００２】
【従来の技術】
引戸式の吊戸を吊下するガイドレールは、戸袋の内外に延びるベースフレームに固定され、吊戸を戸袋の内外に移動させることができる。
【０００３】
すなわち、ガイドレールは、ベースフレームに対し、全長に亘って所定間隔ごとにねじ止めして取り付けられている。なお、ガイドレールは、摩耗したり損傷したりすると、新しいガイドレールに交換する。このとき、ガイドレールは、戸袋を一旦分解し、止めねじを外してベースフレームから取り外した上、新しいガイドレールをベースフレームに取り付け、戸袋を再組立する。
【０００４】
【発明が解決しようとする課題】
かかる従来技術によるときは、ガイドレールは、交換するに際して戸袋を分解し、再組立しなければならず、交換作業が極めて煩雑であるという問題があった。
【０００５】
そこで、この発明の目的は、かかる従来技術の問題に鑑み、ガイドレールの先端を着脱可能に保持する保持金具を戸袋内に設けることによって、戸袋を分解することなく、ガイドレールを簡単に交換することができる吊戸用ガイドレールの取付構造を提供することにある。
【０００６】
【課題を解決するための手段】
かかる目的を達成するためのこの発明の構成は、戸袋の内外に延びるベースフレームと、ベースフレームに付設する吊戸用のガイドレールと、戸袋内においてベースフレームに固定する保持金具、補助金具とを備えてなり、保持金具は、ガイドレールの先端のウェブ部分を支持する水平の支持片と、吊戸の戸尻側が閉じる間隙をベースフレームとの間に形成する保持片とを一体に形成し、間隙には、ガイドレールの先端のフランジ部分を吊戸の戸先側から差し込んで収納し、ガイドレールは、補助金具によって戸袋内の中間部をベースフレームに沿って移動可能に支持するとともに、保持金具によって戸袋内の先端を着脱可能に保持し、戸袋外においてベースフレームにねじ止めすることをその要旨とする。
【０００７】
なお、補助金具は、ガイドレールの中間部のウェブ部分を支持する左右の支持部と、支持部の上部基部側に形成し、ガイドレールの下向きのガイドリブに対応する斜めの段部とを備えることができる。
【０００８】
また、保持金具には、エンボス加工による位置決め用の係合突部を形成し、係合突部は、ベースフレームの係合孔に係合してもよい。
【０００９】
さらに、保持金具には、溶接用の切欠きを形成してもよい。
【００１０】
【作用】
かかる発明の構成によるときは、ガイドレールは、保持金具により戸袋内の先端が着脱可能に保持され、戸袋外においてベースフレームにねじ止めされる。そこで、ガイドレールは、戸袋外のねじ止めを外して先端を保持金具から抜き取ることにより、ベースフレームから分離させ、戸袋を分解することなく、戸袋外に全体を取り出すことができる。また、ガイドレールは、先端を戸袋内に差し込むようにして保持金具に保持させ、戸袋外においてベースフレームにねじ止めすることにより、戸袋の内外に延びるベースフレームに固定することができる。
【００１１】
保持金具に支持片、保持片を設ければ、保持金具は、支持片によってガイドレールのウェブ部分を支持し、保持片によってガイドレールのフランジ部分をベースフレームとの間に収納し、ガイドレールの先端をベースフレームの上下方向、前後方向の２方向に確実に拘束することができる。
【００１２】
位置決め用の係合突部を形成する保持金具は、係合突部をベースフレームの係合孔に係合させ、所定位置に速やかに正しく位置決めしてベースフレームに固定することができる。
【００１３】
保持金具は、切欠きを形成することにより、切欠きの位置においてベースフレームに体裁よく溶接することができ、溶接ビードが保持金具の外部に大きく突出することがない。
【００１４】
ガイドレールの中間部を支持する補助金具は、ガイドレールを補強し、吊戸の重量によりガイドレールに過大な撓みが生じることを防止する。
【００１５】
補助金具に段部を形成すれば、補助金具は、ガイドレールの下向きのガイドリブを段部に係合させ、ガイドレールの先端を保持金具に向けて正しくガイドすることができる。
【００１６】
【発明の実施の形態】
以下、図面を以って発明の実施の形態を説明する。
【００１７】
吊戸用ガイドレールの取付構造は、戸袋Ｓの内外に延びるベースフレーム１１と、ベースフレーム１１に付設するガイドレール１２と、戸袋Ｓ内においてベースフレーム１１に固定する保持金具１３とを備えてなる（図１、図２）。なお、ベースフレーム１１には、戸袋Ｓ内において、中間部の補助金具１４、１４が付設されている。
【００１８】
ベースフレーム１１、ガイドレール１２は、壁ＷＬの開口部に設けられている。壁ＷＬの開口部には、門形の戸枠４１が組み込まれ、戸枠４１内には、ローラ２１ａ、２１ａを介してガイドレール１２から吊下する吊戸２１と、戸袋Ｓを形成する表裏のパネル４２、４２と、表裏の補助パネル４３、４３とが組み込まれている。吊戸２１は、パネル４２、４２、補助パネル４３、４３とともに壁ＷＬの開口部を閉じることができ、パネル４２、４２は、それぞれの間に形成する戸袋Ｓ内に開放時の吊戸２１を収納することができる。また、上部の補助パネル４３、４３は、パネル４２、４２とともにベースフレーム１１、ガイドレール１２を隠蔽している。なお、吊戸２１の下部は、床Ｆに立設するガイドローラ２２に係合して開閉自在に拘束されている。
【００１９】
ベースフレーム１１は、戸枠４１の上部に配設されている。ベースフレーム１１は、ウェブ１１ａの上下に大小のフランジ１１ｂ、１１ｂが形成されている。ガイドレール１２は、吊戸２１の戸先側が低くなるように、吊戸２１の閉じ方向に僅かに傾斜してベースフレーム１１のウェブ１１ａに固定されている。ガイドレール１２は、水平のウェブ部分１２ａに対し、厚さｔの上向きのフランジ部分１２ｂが形成されている（図１、図３）。ウェブ部分１２ａの先端には、吊戸２１のローラ２１ａ、２１ａが係合する係合リブ１２ｃが上向きに形成されており、フランジ部分１２ｂの下部には、下向きのガイドリブ１２ｄが形成されている。なお、ガイドリブ１２ｄの前面は、裏面側に向けて斜めに形成されている。ガイドレール１２は、戸袋Ｓ外に位置する部分のフランジ部分１２ｂに対し、取付孔１２ｅ、１２ｅ…が所定ピッチごとに形成されている。また、フランジ部分１２ｂの裏面側には、凹溝１２ｂ1 がガイドレール１２の全長に亘って形成されている。
【００２０】
保持金具１３は、戸袋Ｓ内において、ベースフレーム１１のウェブ１１ａの長手方向の先端部に付設されている。保持金具１３は、本体部１３ａの下部に延長部１３ａ1 が形成され、延長部１３ａ1 の先端には、前向きのブラケット部１３ｂを介して水平の支持片１３ｃが延長部１３ａ1 と逆向きに形成されている。また、延長部１３ａ1 には、エンボス加工による係合突部１３ａ2 、１３ａ2 が裏面側に向けて突設されており、係合突部１３ａ2 、１３ａ2 は、ベースフレーム１１のウェブ１１ａに形成する係合孔１１ａ1 、１１ａ1 に係合可能である。なお、本体部１３ａの周縁部には、半円弧状の切欠き１３ａ3 、１３ａ3 …が形成されている。
【００２１】
保持金具１３は、段部１３ｄを介し、延長部１３ａ1 と同方向の保持片１３ｅが本体部１３ａの上部に形成されている。なお、保持片１３ｅの先端には、前向きのガイド部１３ｅ1 が形成されている。そこで、保持金具１３は、各係合突部１３ａ2 を係合孔１１ａ1 に係合させてベースフレーム１１のウェブ１１ａ上に正しく位置決めし、切欠き１３ａ3 、１３ａ3 …の位置においてウェブ１１ａに溶接して固定することができる。このとき、保持片１３ｅは、ベースフレーム１１のウェブ１１ａとの間に間隙ｄ≒ｔを形成することができる。
【００２２】
各補助金具１４は、左右に長い取付部１４ａの両端において、支持部１４ｂ、１４ｂを前方に突出させて形成されている（図１、図４）。取付部１４ａには、取付孔１４ａ1 、１４ａ1 が形成されている。また、各支持部１４ｂの上辺は、取付部１４ａの上辺より高くし、ガイドレール１２のガイドリブ１２ｄに対応する斜めの段部１４ｃが各支持部１４ｂの上部基部側に形成されている。補助金具１４、１４は、それぞれ取付孔１４ａ1 、１４ａ1 に挿入する止めねじ１４ｄ、１４ｄを介してベースフレーム１１のウェブ１１ａにねじ止めされている。
【００２３】
ガイドレール１２は、戸袋Ｓ外において、止めねじ１２ｆ、１２ｆ…を介してベースフレーム１１のウェブ１１ａにねじ止めし（図２）、戸袋Ｓ内において、先端が保持金具１３により着脱可能に保持され、中間部が補助金具１４、１４により支持されている。すなわち、保持金具１３は、延長部１３ａ1 上にガイドレール１２のガイドリブ１２ｄを差し込むと（図１、図３）、支持片１３ｃによりガイドレール１２のウェブ部分１２ａを支持するとともに、保持片１３ｅによりベースフレーム１１との間の間隙ｄ内にガイドレール１２のフランジ部分１２ｂを収納して、ガイドレール１２の先端をベースフレーム１１の上下方向、前後方向の２方向に拘束することができる。また、各補助金具１４は、取付部１４ａ上にガイドレール１２のガイドリブ１２ｄをセットし（図１、図４）、段部１４ｃ、１４ｃにガイドリブ１２ｄを係合させることにより、支持部１４ｂ、１４ｂによってガイドレール１２の中間部を支持することができる。
【００２４】
かかるガイドレール１２は、次のようにして交換する。
【００２５】
ガイドレール１２を取り外すときは、表面側の補助パネル４３を外し（図２、図５）、ガイドレール１２からローラ２１ａ、２１ａを外して吊戸２１を取り外す。ただし、図５（Ｂ）は、同図（Ａ）のＺ−Ｚ線矢視相当拡大断面図である。次に、止めねじ１２ｆ、１２ｆ…を取り外し、ガイドレール１２を吊戸２１の戸先側に移動させて戸袋Ｓ内の先端を保持金具１３から抜き取り（図２の矢印Ｋ1 方向、図５（Ａ）の実線）、補助金具１４、１４から浮かすようにしてベースフレーム１１から分離させ（図５（Ａ）の一点鎖線、同図（Ｂ）の二点鎖線）、戸袋Ｓの外側を下に傾けながら戸袋Ｓの外部に取り出すことができる（図５（Ａ）の二点鎖線）。
【００２６】
一方、ガイドレール１２を取り付けるときは、ガイドレール１２の先端側を戸袋Ｓ内に入れ、全体をベースフレーム１１に押し付けるようにして補助金具１４、１４上に載せる（図５（Ａ）、（Ｂ）の各実線）。その後、ガイドレール１２を戸袋Ｓ内に押し込んで移動させ（図２の矢印Ｋ1 と逆方向）、先端を保持金具１３に差し込む。このとき、各補助金具１４は、段部１４ｃ、１４ｃにガイドリブ１２ｄが係合し、ガイドレール１２をベースフレーム１１に密着させながら保持金具１３の間隙ｄに向けてガイドすることができる。ガイドレール１２の先端が保持金具１３に差し込まれて保持されると、戸袋Ｓ外においてガイドレール１２をベースフレーム１１にねじ止めする。最後に、吊戸２１をガイドレール１２に吊下し、補助パネル４３を取り付ければよい。
【００２７】
以上の説明において、保持金具１３は、段部１３ｄを屈曲させ、保持片１３ｅの隣接する２辺を本体部１３ａに接続させてもよい（図６）。保持片１３ｅは、前向きの開き強度が大きくなり、吊戸２１が大重量であったり、吊戸２１に大きな衝撃が加わったりしても、不用意に変形するおそれがなく、ガイドレール１２を十分に保護することができる。
【００２８】
また、補助金具１４、１４は、図示に拘らず、ガイドレール１２の長手方向に任意個数を配設してもよく、または、これを全部省略してもよい。
【００２９】
【発明の効果】
以上説明したように、この発明によれば、戸袋の内外に延びるベースフレームと、ベースフレームに付設する吊戸用のガイドレールと、戸袋内においてベースフレームに固定する保持金具とを備えることによって、ガイドレールは、保持金具によって戸袋内の先端を着脱可能に保持し、戸袋外においてベースフレームにねじ止めすることができるから、戸袋を分解することなく簡単に取付け、取外しして交換することができるという優れた効果がある。
【図面の簡単な説明】
【図１】  全体構成斜視図
【図２】  使用状態説明図（１）
【図３】  図１のＸ−Ｘ線矢視相当拡大断面図
【図４】  図１のＹ−Ｙ線矢視相当拡大断面図
【図５】  使用状態説明図（２）
【図６】  他の実施の形態を示す要部拡大斜視図
【符号の説明】
Ｓ…戸袋
１１…ベースフレーム
１２…ガイドレール
１２ａ…ウェブ部分
１２ｂ…フランジ部分
１２ｄ…ガイドリブ
１３…保持金具
１３ａ2 …係合突部
１３ａ3 …切欠き
１３ｃ…支持片
１３ｅ…保持片
１４…補助金具
１４ｃ…段部
【図１】
0004532648.tif 000002
【図２】
0004532648.tif 000003
【図３】
0004532648.tif 000004
【図４】
0004532648.tif 000005
【図５】
0004532648.tif 000006
【図６】
0004532648.tif 000007